(57)【要約】  操作性の優れた２画面表示携帯端末装置を提供する。第１表示画面を有する第１メイン表示部と、第１表示画面と同等な表示が可能な第２表示画面を有し、第１メイン表示部に対し並置可能に接続された第２メイン表示部と、第１表示画面と第２表示画面の双方が同時に表示可能な状態にあるか否かを検出する表示状態検出部と、第１表示画面と第２表示画面のうち、操作対象となる画面を選択する機能を実行する操作対象画面選択部と、表示状態検出部が、第１表示画面、第２表示画面の双方に表示が可能な状態であることを検出したときに、少なくとも操作対象画面選択部が選択した画面に操作対象画面切り替えアイコンを表示させる機能を実行する操作対象画面切り替えアイコン表示部と、を備え、操作対象画面選択部は、操作対象画面切り替えアイコンが選択されたときに操作対象画面を切り換える。
2010114007.tif 000002
【特許請求の範囲】
【請求項１】
第１表示画面を有する第１メイン表示部と、
前記第１表示画面と同等な表示が可能な第２表示画面を有し、前記第１メイン表示部に対し並置可能に接続された第２メイン表示部と、
前記第１表示画面と第２表示画面の双方が同時に表示可能な状態にあるか否かを検出する表示状態検出部と、
前記第１表示画面と第２表示画面のうち、操作対象となる画面を選択する機能を実行する操作対象画面選択部と、
前記表示状態検出部が、前記第１表示画面、第２表示画面の双方に表示が可能な状態であることを検出したときに、少なくとも前記操作対象画面選択部が選択した画面に操作対象画面切り替えアイコンを表示させる機能を実行する操作対象画面切り替えアイコン表示部と、を備え、
前記操作対象画面選択部は、前記操作対象画面切り替えアイコンが選択されたときに操作対象画面の選択を切り替えることを特徴とする携帯端末装置。
【請求項２】
前記第２メイン表示部は、前記第１メイン表示部に対しヒンジ部によって、あるいはスライド式に接続されていることを特徴とする請求項１に記載の携帯端末装置。
【請求項３】
入力キーを有する操作部を更に備え、前記第１メイン表示部と前記操作部とがヒンジ部によって折りたたみ可能に接続されていることを特徴とする請求項１又は２に記載の携帯端末装置。
【請求項４】
前記第１メイン表示部と第２メイン表示部は、ヒンジ部によって接続されており、前記第２メイン表示部は前記第２表示画面の裏側に第３表示画面を備え、前記表示状態検出部が、前記第１メイン表示部と第２メイン表示部とが折りたたまれている状態にあることを検出したときは、前記第１表示画面、第２表示画面の表示をいずれも停止し、前記第３表示画面を表示させることを特徴とする請求項１〜３いずれか１項に記載の携帯端末装置。
【請求項５】
前記表示状態検出部が、折りたたまれている状態から開いた状態に変化したことを検出したときは、前記第３表示画面に表示されていた表示内容を前記第２表示画面に表示するとともに、前記操作対象画面切り替えアイコン表示部が、前記操作対象画面切り替えアイコンを前記第２表示画面に表示させることを特徴とする請求項４に記載の携帯端末装置。
【請求項６】
前記第２メイン表示部は、前記第１メイン表示部に対し着脱自在に構成されていることを特徴とする請求項１〜５いずれか１項に記載の携帯端末装置。
【請求項７】
第１表示画面を有する第１メイン表示部と、
前記第１表示画面と同等な表示が可能である第２表示画面を有し、前記第１メイン表示部に対し並置可能に接続された第２メイン表示部と、
前記第１表示画面と第２表示画面の双方が表示可能な状態にあるか否かを検出する表示状態検出部と、
全体を制御する制御部と、
を備える携帯端末装置において、
前記表示状態検出部が、表示画面の状態が１画面表示状態から前記第１表示画面と第２表示画面の双方が表示可能な状態に変化したことを検出したときに、前記１画面表示状態にて表示されていた内容に操作対象画面切り替えアイコンを付加した表示を前記第１表示画面又は第２表示画面の一方に表示するステップと、
前記操作対象画面切り替えアイコンが選択されたことを検出したときに、操作対象とする画面を前記第１表示画面又は第２表示画面の一方から他方に切り替えるステップと、
を前記制御部に実行させることを特徴とする携帯端末装置の制御プログラム。
【請求項８】
前記携帯端末装置は、前記第１メイン表示部と第２メイン表示部とが、ヒンジ部によって前記第１表示画面と第２表示画面とを向かい合わせて折りたたまれ、前記第１表示画面に代えて前記第２表示画面の裏側に設けられた第３表示画面が、表面に露出するように構成された携帯端末装置であって、
前記表示状態検出部が、前記第１メイン表示部と第２メイン表示部とが折りたたまれている状態にあることを検出したときに、前記第１メイン表示部及び第２メイン表示部の表示を停止し、前記第３表示画面により表示を行うステップと、
前記表示状態検出部が、折りたたまれている状態から開いた状態に変化したことを検出したときは、前記第３表示画面に表示されていた表示内容を前記第２表示画面に表示するとともに、前記操作対象画面切り替えアイコンを前記第２表示画面に表示させるステップと、
を更に前記制御部に実行させることを特徴とする請求項７に記載の携帯端末装置の制御プログラム。
【請求項９】
第１表示画面を有する第１メイン表示部と、
前記第１表示画面と同等な表示が可能である第２表示画面を有し、前記第１メイン表示部に対し並置可能に接続された第２メイン表示部と、
前記第１表示画面と第２表示画面の双方が表示可能な状態にあるか否かを検出する表示状態検出部と、
表示画面に表示されるアイコンを選択するアイコン選択手段と、
を備える携帯端末装置において、
前記表示状態検出部が、表示画面の状態が１画面表示状態から前記第１表示画面と第２表示画面の双方が表示可能な状態に変化したことを検出したときに、前記１画面表示状態にて表示されていた内容に操作対象画面切り替えアイコンを付加した表示を前記第１表示画面又は第２表示画面の一方に表示し、
前記アイコン選択手段により前記操作対象画面切り替えアイコンが選択されたときに、操作対象とする画面を前記第１表示画面又は第２表示画面の一方から他方に切り替えることを特徴とする携帯端末装置の複数表示画面制御方法。
【請求項１０】
前記携帯端末装置は、前記第１メイン表示部と第２メイン表示部とが、ヒンジ部によって前記第１表示画面と第２表示画面とを向かい合わせて折りたたまれ、前記第１表示画面に代えて前記第２表示画面の裏側に設けられた第３表示画面が、表面に露出するように構成された携帯端末装置であって、
前記表示状態検出部が、前記第１メイン表示部と第２メイン表示部とが折りたたまれている状態にあることを検出したときに、前記第１メイン表示部及び第２メイン表示部の表示を停止し、前記第３表示画面により表示を行い、
前記表示状態検出部が、折りたたまれている状態から開いた状態に変化したことを検出したときは、前記第３表示画面に表示されていた表示内容を前記第２表示画面に表示するとともに、前記操作対象画面切り替えアイコンを前記第２表示画面に表示することを特徴とする請求項９に記載の携帯端末装置の複数表示画面制御方法。
【請求項１１】
請求項７又は８に記載の制御プログラムを格納したコンピュータ読み取り可能な記録媒体。
【発明の詳細な説明】
【技術分野】
【０００１】
［関連出願についての記載］
本発明は、日本国特許出願：特願２００９−０８６６３５号（２００９年  ３月３１日出願）の優先権主張に基づくものであり、同出願の全記載内容は引用をもって本書に組み込み記載されているものとする。
本発明は、携帯電話機等の携帯端末装置、並びに、その制御プログラム及び複数表示画面制御方法に関する。特に、複数の画面を同時に表示することのできる携帯端末装置に関する。
【背景技術】
【０００２】
従来の一般的な携帯端末装置において、表示部のメイン表示画面には、メーラーやブラウザなど各種アプリケーションソフトが表示される。ユーザーは、操作部を使用して表示領域に表示された画面を閲覧しながら所定操作を実行する。しかし、作業途中に他のアプリケーションを利用して作業をする必要がある場合、一旦現在作業中のアプリケーションを終了してから改めて別のアプリケーションを起動する必要があった。【０００３】
この問題を解決するため、特許文献１では、サブ表示画面に生成された各アプリケーションに対応するアイコンを選択することで、メイン表示画面の切り替えを可能とする携帯端末装置が提案されている。【０００４】
また、特許文献２や特許文献３では、メイン表示部とヒンジ部によって、あるいはスライド式に接続されている第２のメイン表示画面を有する第２のメイン表示部が設けられた、同時に２画面を表示する携帯端末装置が開示されている。これらの発明によれば、ユーザーは２画面を同時に閲覧しながら操作を実施することが可能となる。
【先行技術文献】
【特許文献】
【０００５】
【特許文献１】特開２００３−１６２３５５号公報
【特許文献２】特開２００８−１８２２８９号公報
【特許文献３】特開２００３−１９８６８５号公報
【発明の概要】
【発明が解決しようとする課題】
【０００６】
上記特許文献１から３の全開示内容はその引用をもって本書に組み込み記載する。
以下の分析は本発明により与えられる。上記特許文献１に記載されている携帯端末装置は、メイン表示画面を１つしか有しておらず、アイコン選択によるアプリケーションの切り替えは同一画面上でしかできない。上記特許文献２、特許文献３にある、ヒンジ部によって接続された折りたたみ可能な２画面を同時に表示する携帯端末装置は、メイン表示画面を２画面携えているためこの点は改善されているが、現実には実用化されていない。その理由は、携帯端末装置の少ないキーで２画面を制御するには、操作性に難があることが考えられる。たとえば、メイン表示画面からアイコンを選択するなどの方法により第２メイン表示画面に新たなアプリケーションを表示させることは可能である。しかし、特許文献２や特許文献３によれば、第２メイン表示画面に操作対象画面が移ってしまい、第２メイン表示画面の機能を終了させるまでは、元のメイン表示画面の操作をすることはできない。特にキー数の少ない携帯端末装置においては、操作対象画面切り替え専用のキーを設けることは難しい。この２画面の切り替え制御方法については、特許文献１でも言及されていない。
【課題を解決するための手段】
【０００７】
本発明の第１の側面による携帯端末装置は、第１表示画面を有する第１メイン表示部と、前記第１表示画面と同等な表示が可能な第２表示画面を有し、前記第１メイン表示部に対し並置可能に接続された第２メイン表示部と、前記第１表示画面と第２表示画面の双方が同時に表示可能な状態にあるか否かを検出する表示状態検出部と、前記第１表示画面と第２表示画面のうち、操作対象となる画面を選択する機能を実行する操作対象画面選択部と、前記表示状態検出部が、前記第１表示画面、第２表示画面の双方に表示が可能な状態であることを検出したときに、少なくとも前記操作対象画面選択部が選択した画面に操作対象画面切り替えアイコンを表示させる機能を実行する操作対象画面切り替えアイコン表示部と、を備え、前記操作対象画面選択部は、前記操作対象画面切り替えアイコンが選択されたときに操作対象画面の選択を切り替える。【０００８】
また、本発明の第２の側面による携帯端末装置の制御プログラムは、第１表示画面を有する第１メイン表示部と、前記第１表示画面と同等な表示が可能である第２表示画面を有し、前記第１メイン表示部に対し並置可能に接続された第２メイン表示部と、前記第１表示画面と第２表示画面の双方が表示可能な状態にあるか否かを検出する表示状態検出部と、全体を制御する制御部と、を備える携帯端末装置において、前記表示状態検出部が、表示画面の状態が１画面表示状態から前記第１表示画面と第２表示画面の双方が表示可能な状態に変化したことを検出したときに、前記１画面表示状態にて表示されていた内容に操作対象画面切り替えアイコンを付加した表示を前記第１表示画面又は第２表示画面の一方に表示するステップと、前記操作対象画面切り替えアイコンが選択されたことを検出したときに、操作対象とする画面を前記第１表示画面又は第２表示画面の一方から他方に切り替えるステップと、を前記制御部に実行させる。上記制御プログラムは、コンピュータで読み取り可能な記録媒体に格納されていてもよい。【０００９】
本発明の第３の側面による携帯端末装置の複数表示画面制御方法は、第１表示画面を有する第１メイン表示部と、前記第１表示画面と同等な表示が可能である第２表示画面を有し、前記第１メイン表示部に対し並置可能に接続された第２メイン表示部と、前記第１表示画面と第２表示画面の双方が表示可能な状態にあるか否かを検出する表示状態検出部と、表示画面に表示されるアイコンを選択するアイコン選択手段と、を備える携帯端末装置において、前記表示状態検出部が、表示画面の状態が１画面表示状態から前記第１表示画面と第２表示画面の双方が表示可能な状態に変化したことを検出したときに、前記１画面表示状態にて表示されていた内容に操作対象画面切り替えアイコンを付加した表示を前記第１表示画面又は第２表示画面の一方に表示し、前記アイコン選択手段により前記操作対象画面切り替えアイコンが選択されたときに、操作対象とする画面を前記第１表示画面又は第２表示画面の一方から他方に切り替える。
【発明の効果】
【００１０】
本発明によれば、複数の画面を同時に表示することが可能な携帯端末装置において、表示画面の操作切り替えを容易に行うことができる。
【図面の簡単な説明】
【００１１】
【図１】本発明の一実施例による携帯端末装置の平面図（２画面表示状態、使用時）である。
【図２】本発明の一実施例による携帯端末装置の側面図（折りたたみ状態、未使用時）である。
【図３】本発明の一実施例による携帯端末装置の平面図（１画面表示状態、使用時）である。
【図４】本発明の一実施例による携帯端末装置の内部構成を示すブロック図である。
【図５】本発明の一実施例による携帯端末装置の表示例（１画面表示状態における番組表表示）である。
【図６】本発明の一実施例による携帯端末装置の別な表示例（２画面表示状態における番組表１画面表示）である。
【図７】本発明の一実施例による携帯端末装置の更に別な表示例（２画面表示状態におけるワンセグ＋番組表表示）である。
【図８】本発明の一実施例による携帯端末装置の更に別な表示例（２画面表示状態における新規メール＋情報検索表示）である。
【図９】本発明の一実施例による携帯端末装置の更に別な表示例（２画面表示状態における新規メール＋受信メール表示）である。
【発明を実施するための形態】
【００１２】
以下に本発明において可能な又は好ましい形態を示す。
（形態１）
第１の側面に既述のとおり。
（形態２）
前記第２メイン表示部は、前記第１メイン表示部に対しヒンジ部によって、あるいはスライド式に接続されていることが好ましい。
（形態３）
入力キーを有する操作部を更に備え、前記第１メイン表示部と前記操作部とがヒンジ部によって折りたたみ可能に接続されていることが好ましい。
（形態４）
前記第１メイン表示部と第２メイン表示部は、ヒンジ部によって接続されており、前記第２メイン表示部は前記第２表示画面の裏側に第３表示画面を備え、前記表示状態検出部が、前記第１メイン表示部と第２メイン表示部とが折りたたまれている状態にあることを検出したときは、前記第１表示画面、第２表示画面の表示をいずれも停止し、前記第３表示画面を表示させることが好ましい。
（形態５）
前記表示状態検出部が、折りたたまれている状態から開いた状態に変化したことを検出したときは、前記第３表示画面に表示されていた表示内容を前記第２表示画面に表示するとともに、前記操作対象画面切り替えアイコン表示部が、前記操作対象画面切り替えアイコンを前記第２表示画面に表示させることが好ましい。
（形態６）
前記第２メイン表示部は、前記第１メイン表示部に対し着脱自在に構成されていることが好ましい。
（形態７）
第２の側面に既述のとおり。
（形態８）
前記携帯端末装置は、前記第１メイン表示部と第２メイン表示部とが、ヒンジ部によって前記第１表示画面と第２表示画面とを向かい合わせて折りたたまれ、前記第１表示画面に代えて前記第２表示画面の裏側に設けられた第３表示画面が、表面に露出するように構成された携帯端末装置であって、
前記表示状態検出部が、前記第１メイン表示部と第２メイン表示部とが折りたたまれている状態にあることを検出したときに、前記第１メイン表示部及び第２メイン表示部の表示を停止し、前記第３表示画面により表示を行うステップと、
前記表示状態検出部が、折りたたまれている状態から開いた状態に変化したことを検出したときは、前記第３表示画面に表示されていた表示内容を前記第２表示画面に表示するとともに、前記操作対象画面切り替えアイコンを前記第２表示画面に表示させるステップと、
を更に前記制御部に実行させる携帯端末装置のプログラムであることが好ましい。
（形態９）
第３の側面に既述のとおり。
（形態１０）
前記携帯端末装置は、前記第１メイン表示部と第２メイン表示部とが、ヒンジ部によって前記第１表示画面と第２表示画面とを向かい合わせて折りたたまれ、前記第１表示画面に代えて前記第２表示画面の裏側に設けられた第３表示画面が、表面に露出するように構成された携帯端末装置であって、
前記表示状態検出部が、前記第１メイン表示部と第２メイン表示部とが折りたたまれている状態にあることを検出したときに、前記第１メイン表示部及び第２メイン表示部の表示を停止し、前記第３表示画面により表示を行い、
前記表示状態検出部が、折りたたまれている状態から開いた状態に変化したことを検出したときは、前記第３表示画面に表示されていた表示内容を前記第２表示画面に表示するとともに、前記操作対象画面切り替えアイコンを前記第２表示画面に表示することが好ましい。
（形態１１）
上記形態７又は８の制御プログラムを格納したコンピュータ読み取り可能な記録媒体であることが好ましい。
上記形態１〜形態１１について補足説明をする。なお、この補足説明において必要に応じて図面を参照して説明する。なお、補足説明において引用する図面及び図面の符号は実施形態の一例として示すものであり、それにより本発明による実施形態のバリエーションを制限するものではない。
【００１３】
上記形態の携帯端末装置は、第１表示画面を有する第１メイン表示部と、第１表示画面と同等な表示が可能な第２表示画面を有し、第１メイン表示部に対し折りたたみ可能な第２メイン表示部を備えている。すなわち、第１表示画面を有する第１メイン表示部と、第２表示画面を有する第２メイン表示部とを設けており、第２メイン表示部は、第１メイン表示部に対し折りたたみ可能であるので、収納時の面積を増やすことなく、通常の２倍の情報量を表示することが可能である。
【００１４】
また、第１表示画面と第２表示画面の双方が同時に表示可能な状態にあるか否かを検出する折りたたみ（表示）状態検出部（図４の３）を設けているので、折りたたみ（表示）状態検出部によって、２画面表示が可能であるか否かを自動的に判断して、適切な表示を行うことが可能である。
【００１５】
更に、折りたたみ（表示）状態検出部が、第１表示画面、第２表示画面の双方に表示が可能な状態であることを検出したときに、第１表示画面と第２表示画面のうち、操作対象となる画面を選択する機能を実行する操作対象画面選択部（図４の５）と、少なくとも操作対象画面選択部が選択した画面に操作対象画面切り替えアイコン（図６〜９の７０Ａ、７０Ｂ）を表示させる機能を実行する操作対象画面切り替えアイコン表示部（図４の６）と、を備え、操作対象画面選択部は、操作対象画面切り替えアイコンが選択されたときに操作対象画面の選択を切り替える。すなわち、２画面が切り替え可能なときに、操作対象画面切り替えアイコンを操作対象とする画面に表示し、そのアイコンを選択することによって、２画面のうち、操作対象とする画面を切り替えることができる。上記構成によって、操作キーの数を多く設けることができない携帯端末装置においても、同時に表示される２画面のアプリケーションのうち、どちらの画面のアプリケーションに対しても容易に操作を行うことができる。
【００１６】
更に、特に図５、図６に示すように、第１メイン表示部（２０Ａ）と第２メイン表示部（２０Ｂ）は、ヒンジ部（４０Ｂ）によって接続されており、第２メイン表示部は第２表示画面（２１Ｂ）の裏側に第３表示画面（２１Ｃ）を備え、折りたたみ（表示）状態検出部が、第１メイン表示部と第２メイン表示部とがこのヒンジ部によって折りたたまれている状態にあることを検出したときは、前記第１表示画面、第２表示画面の表示をいずれも停止し、第３表示画面を表示させる（図５参照）。すなわち、本発明はこの構成に限定されるものではないが、第１メイン表示部と第２メイン表示部とが、第１表示画面と第２表示画面とを向かい合わせて折りたたまれるとき、第１表示画面、第２表示画面がともに外部から見えなくなってしまうため、第２表示画面の裏側に設けられた第３表示画面により表示を行う。
【００１７】
更に、折りたたみ（表示）状態検出部が、折りたたまれている状態から開いた状態に変化したことを検出したときは、第３表示画面（図５の２１Ｃ）に表示されていた表示内容を第２表示画面（図６の２１Ｂ）に表示するとともに、操作対象画面切り替えアイコン表示部が、操作対象画面切り替えアイコンを第２表示画面に表示させる。
【００１８】
また、上記形態の携帯端末装置が少なくとも携帯端末装置の機能操作を制御する制御部（図４の４）を備えていれば、その制御プログラムによっても操作対象とする画面の切り替えが可能である。
【００１９】
更に、上記形態の携帯端末装置の複数表示画面制御方法によれば、携帯端末装置が表示画面に表示されるアイコンを選択するアイコン選択手段を備えていれば、操作対象画面切り替えアイコンを画面に表示し、その表示されたアイコンをアイコン選択手段によって選択することでも、表示されている画面の中から、操作対象とする画面を切り替えることができる。以下、実施例について、図面を参照して詳しく説明する。
【実施例１】
【００２０】
図１〜図３は、本実施例の携帯端末装置の外観を示す図面である。図１において、携帯端末装置１０は、メインディスプレイとなる表示機能を有する第１メイン表示部２０Ａと、画面の選択、決定を実施する操作キー３１及びキー入力を実施するテンキーなどの入力キー３２を有する操作部３０とが、ヒンジ部４０Ａを介して相互に接続したいわゆる折りたたみ型の構成をとっている。図１はこの携帯端末装置１０使用時の（端末を開いた）状態を、図２は未使用時の（端末を閉じた）状態をそれぞれ示している。【００２１】
図１において第１メイン表示部２０Ａは、ヒンジ部４０Ｂを介して第２メイン表示部２０Ｂとも互いに接続されており、ヒンジ部４０Ｂを軸に第２メイン表示部２０Ｂを回転させることで第１メイン表示部２０Ａに対して第２メイン表示部２０Ｂを開閉する。第１メイン表示部２０Ａ、第２メイン表示部２０Ｂには、それぞれ、各種アプリケーションなどが表示される第１表示画面２１Ａ、第２表示画面２１Ｂが、操作部３０には、操作キー３１、入力キー３２の他にマイク５０が設置されている。また、第１メイン表示部２０Ａ内部には、例えば第２メイン表示部２０Ｂの開閉角度によって反応するセンサーである折りたたみ（表示）状態検出部（後述する図４の３）が組み込まれている。【００２２】
図３は、本端末の第２メイン表示部２０Ｂのみを閉じた携帯端末装置１０の外観図である。本図において、第２メイン表示部２０Ｂは第２表示画面２１Ｂの裏側に設けられた第３表示画面２１Ｃ及び通話用スピーカ（レシーバ）６０を有しており、ユーザーは、第１メイン表示部２０Ａの上に第２メイン表示部２０Ｂを重ねた状態で、従来の表示部を一つだけ有する折りたたみ型携帯端末装置と差異なく使用することが可能である。つまり第２メイン表示部２０Ｂは、表裏にそれぞれ第２表示画面２１Ｂ、第３表示画面２１Ｃが設けられている。この表裏表示領域の画面表示の切り替えは、第１メイン表示部２０Ａに内蔵されているセンサーである折りたたみ（表示）状態検出部（後述する図４の３）が第２メイン表示部２０Ｂの開閉角度を検知し、自動的に切り替える。【００２３】
図４は、本実施例による携帯端末装置１０の内部構成を示すブロック図である。携帯端末装置１０は、大きく分けると第１メイン表示部２０Ａと第２メイン表示部２０Ｂと操作部３０によって構成されている。【００２４】
第１メイン表示部２０Ａは、第１表示画面２１Ａとその第１表示画面２１Ａを直接制御する第１表示画面制御部１と、折りたたみ（表示）状態検出部３を備えている。折りたたみ（表示）状態検出部３は、第１メイン表示部２０Ａと第２メイン表示部２０Ｂとがヒンジ部４０Ｂを軸に開かれていて、第１表示画面２１Ａと第２表示画面２１Ｂの双方の画面に同時に表示することが可能であるか、又は、第１メイン表示部２０Ａと第２メイン表示部２０Ｂとがヒンジ部４０Ｂによって折りたたまれており、同時に表示してもユーザーが視認不可能な状態にあるか、を折りたたみ（表示）状態検出信号として出力する。【００２５】
また、第２メイン表示部２０Ｂは、第２表示画面２１Ｂとその第２表示画面２１Ｂを直接制御する第２表示画面制御部２を備えている。【００２６】
操作部３０は、制御部（ＣＰＵ）４とキー入力部８、更にプログラムメモリ７を備えている。キー入力部８には、図１、図３で説明した操作キー３１、入力キー３２が接続されており、キーから入力した情報を制御部４へ伝える。制御部４は、プログラムメモリ７に格納されたプログラムによって、操作対象画面選択部５、操作対象画面切り替えアイコン表示部６として機能する。【００２７】
操作対象画面選択部５は、折りたたみ（表示）状態検出部３が、第１表示画面２１Ａと第２表示画面２１Ｂの双方が同時に表示可能な状態にあることを検出した場合に、キー入力部８から入力されたキー入力が２画面のうち、どちらの表示画面に対するものか切り替える機能を有する。制御部４は、キー入力部８から入力されたキーと、操作対象画面選択部５の情報（処理）に基づいて、２画面のうち、どちらかに表示されているアプリケーションに対する操作を行い、その結果を対応する画面に表示するように第１表示画面制御部１又は第２表示画面制御部２に対して指示する。また、操作対象画面選択部５は、キー入力部８からの信号により、操作対象画面切り替えアイコン（図６〜図９の７０Ａ、７０Ｂ）が選択された場合は、同時に表示している２画面のうち、その後のキー操作の対象とする画面を切り替える。この操作対象画面選択部５によって操作対象とする画面を切り替えているので、ユーザーは、操作対象とする画面に対して通常の１画面表示と何ら変わらない操作を行うことができる。【００２８】
操作対象画面切り替えアイコン表示部６は、２画面表示が可能である場合に、操作対象画面選択部５により操作対象となっている画面に操作対象画面切り替えアイコンを表示するように第１表示画面制御部１又は第２表示画面制御部２を制御する。なお、操作対象画面切り替えアイコンは、操作対象となっていない方の画面に表示を残しておいてもよい。操作対象画面切り替えアイコン表示部６により操作対象となっている画面に操作対象画面切り替えアイコンを表示するので、ユーザーは２画面表示のうち、操作対象とする画面を容易に切り替えることができる。すなわち、操作対象画面選択部５と操作対象画面切り替えアイコン表示部６により、ユーザーは複数の画面を同時に開いたまま、どちらの画面に対する操作も行うことができる。【００２９】
なお、図４では、第１表示画面制御部１と第２表示画面制御部２とが制御部４から分離されているが、第１表示画面制御部１と第２表示画面制御部２の機能を制御部４に持たせてもよい。また、図４では、第１表示画面制御部１と折りたたみ（表示）状態検出部３が第１メイン表示部２０Ａに、第２表示画面制御部２が第２メイン表示部２０Ｂに、制御部４が操作部３０に設けられているが、第１表示画面制御部１、第２表示画面制御部２、折りたたみ（表示）状態検出部３、制御部４は、第１メイン表示部２０Ａ、第２メイン表示部２０Ｂ、操作部３０のどこに設けてもよい。【００３０】
次に、本実施例により実現できる一連の動作を図５〜図９を用いて説明する。図５〜図９では、好適な実施例の動作としてユーザーが所定の操作を実行したときに切り替えられ、第１メイン表示部２０Ａ、第２メイン表示部２０Ｂの第１表示画面２１Ａ、第２表示画面２１Ｂ及び第３表示画面２１Ｃにそれぞれ表示されるアプリケーションを示している。【００３１】
まず、図５のようにユーザーはブラウザを起動して番組表を閲覧している。閲覧中、番組表に視聴したい番組を見つけたので、ユーザーはヒンジ部４０Ｂを軸に第２メイン表示部２０Ｂを回転させることで、折りたたみ（表示）状態検出部３（例えば角度検知センサー）によりブラウザの番組表画面を第３表示画面２１Ｃから第２表示画面２１Ｂへ切り替えることができる（図６）。このとき、第２表示画面２１Ｂ内には、操作対象画面の切り替え時に選択する操作対象画面切り替えアイコン７０Ａが新たに生成されている。【００３２】
次に、所定の操作、つまり、操作キー３１を使用して第２表示画面２１Ｂ内の操作対象画面切り替えアイコン７０Ａへカーソルを移動して選択し、画面切り替えを決定する。さらに、操作対象画面を第１表示画面２１Ａへ切り替えた後、第１表示画面２１Ａ上にワンセグ（携帯電話などの携帯端末装置を対象とする地上波デジタルテレビ放送などの１セグメント部分受信サービス）を起動させ、第２表示画面２１Ｂの番組表を閲覧しつつ、第１表示画面２１Ａ上に表示される番組を確認しながら画面を希望のチャンネルへと切り替える（図７）。ここで、操作対象画面を第２表示画面２１Ｂから第１表示画面２１Ａへ切り替えた際、第１表示画面２１Ａ内には操作対象画面切り替えアイコン７０Ｂが新たに生成される。なお、アプリケーションが起動していないウィンドウをアクティブにしたときの動作としては、所定のデフォルト画面（例えば待ち受け画面）が表示されるように設定する必要があるが、これについて特別な取り決めはない。任意の画面を表示させることができる。アプリケーションが起動していれば、そのまま操作対象画面を継続することができる。【００３３】
今、第１表示画面２１Ａにはワンセグ視聴画面が、第２表示画面２１Ｂにはブラウザによる番組表がそれぞれ表示されている（図７）。ここで、例えば第１表示画面２１Ａにある操作対象画面切り替えアイコン７０Ｂを選択し、再度番組表が表示されている第２表示画面２１Ｂへ操作対象画面を移し、閲覧を続けることもできる。そして、別の放送を視聴したくなったら、同様の手順により再びワンセグ視聴画面へと操作を移すことが可能である。【００３４】
次に、視聴していた番組内で興味の惹かれる情報を入手し、この情報について更に深く調べてみるため、第２表示画面２１Ｂの番組表画面にて情報検索サイトのＵＲＬを入力するか、あるいはこの画面にリンクが貼ってあれば、そのリンクを選択することにより第２表示画面２１Ｂを検索画面へ切り替え、検索を実行する。そしてその情報をメールに記述して友人へ送信する場合にも、前記同様、第２表示画面２１Ｂ内の操作対象画面切り替えアイコン７０Ａを選択し、第１表示画面２１Ａにてメーラーを起動させ、文章の作成を実施する。この際にも、メールの作成はブラウザの検索結果を見ながら実施することが可能である（図８）。【００３５】
更に、この作成中のメールに以前その友人から送られてきた受信メールの内容を閲覧しつつ、一部抜粋して追記する。この場合も同様に、まずは第１表示画面２１Ａ内にある操作対象画面切り替えアイコン７０Ｂを選択し、第２表示画面２１Ｂにその受信メールの内容を表示する。その後、２画面を並行して閲覧しつつ必要に応じて第２表示画面２１Ｂの参照メールより抜粋希望箇所をコピーし、第１表示画面２１Ａの作成メールへ貼り付ける。以上のような作業を、操作対象画面切り替えアイコン７０Ａ及び７０Ｂの選択を適宜行うことにより、画面を切り替えながら遂行する（図９）。【００３６】
その他にも、本発明によれば、関連するアプリケーション２画面を表示し、どちらの画面に対しても容易に操作対象とする画面を切り替えて並列に操作ができるので、有用なアプリケーションの組み合わせは多数考えられる。その一例を表１に示す。【００３７】
【表１】
2010114007.tif 000003
【００３８】
なお、上記表示画面（１）、表示画面（２）は、第１表示画面２１Ａ、第２表示画面２１Ｂのどちらにも表示可能である。【００３９】
なお、上記実施例では、第２メイン表示部２０Ｂを第１メイン表示部２０Ａに対しヒンジ部４０Ｂによって折りたたみ可能に接続しているが、ヒンジ部４０Ｂの代わりにスライド式に第２メイン表示部２０Ｂを第１メイン表示部２０Ａに接続してもよい。【００４０】
また、第２メイン表示部２０Ｂを第１メイン表示部２０Ａに対し着脱式にして構成することも可能である。【００４１】
以上、実施例について説明したが、本発明は上記実施例の構成にのみ制限されるものでなく、本発明の範囲内で当業者であればなし得るであろう各種変形、修正を含むことは勿論である。すなわち、本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。
【符号の説明】
【００４２】
１：第１表示画面制御部
２：第２表示画面制御部
３：折りたたみ（表示）状態検出部
４：制御部（ＣＰＵ）
５：操作対象画面選択部
６：操作対象画面切り替えアイコン表示部
７：プログラムメモリ
８：キー入力部
１０：携帯端末装置
２０Ａ：第１メイン表示部
２０Ｂ：第２メイン表示部
２１Ａ：第１表示画面
２１Ｂ：第２表示画面
２１Ｃ：第３表示画面
３０：操作部
３１：操作キー
３２：入力キー
４０Ａ、４０Ｂ：ヒンジ部
５０：マイク
６０：通話用スピーカ（レシーバ）
７０Ａ、７０Ｂ：操作対象画面切り替えアイコン
【図１】
2010114007.tif 000004
【図２】
2010114007.tif 000005
【図３】
2010114007.tif 000006
【図４】
2010114007.tif 000007
【図５】
2010114007.tif 000008
【図６】
2010114007.tif 000009
【図７】
2010114007.tif 000010
【図８】
2010114007.tif 000011
【図９】
2010114007.tif 000012
【国際調査報告】
2010114007.tif 000013
2010114007.tif 000014